(57)【要約】【課題】無線ＬＡＮの通信帯域を有効に利用して、電波干渉による通信スループットの低下や通信切断を回避する無線ＬＡＮ監視システムを提供する。【解決手段】無線ＬＡＮ監視サーバ１は、各無線ＬＡＮシステムに割り当てられた設定に応じた無線ＬＡＮリソースデータを記憶する。監視用センサ２１は、無線ＬＡＮシステム４１を構成する機器が送信したデータを受信して、各機器に設定されている内容を示す無線ＬＡＮ情報データを無線ＬＡＮ監視サーバ１に送信する。無線ＬＡＮ監視サーバ１は、受信した無線ＬＡＮ情報データと、記憶している無線ＬＡＮリソースデータとが合致しない場合に、無線ＬＡＮリソースデータを含む通知情報を監視用センサ２１に送信する。監視用センサ２１は、受信した通知情報を各機器に送信する。各機器は、受信した通知情報にもとづいて設定を変更する。【選択図】図１
2008131286.tif 000002
【特許請求の範囲】
【請求項１】
所定の領域内に設けられた複数の無線ＬＡＮシステムのそれぞれにおける機器を監視する無線ＬＡＮ監視システムにおいて、
前記機器に割り当てられた接続条件に応じた設定データを記憶する記憶手段、前記機器に設定されている内容と前記記憶手段に記憶されている設定データとが合致するか否かを判断する判断手段、および前記判断手段が合致しないと判断した場合に、前記設定データを含む設定情報を送信する設定情報送信手段を含む管理装置と、
前記機器が無線ＬＡＮ伝送路に送信したデータと前記管理装置が送信した設定情報とを受信するデータ受信手段、および前記データ受信手段が前記機器から受信したデータにもとづく情報であって前記機器に設定されている内容を示す無線ＬＡＮ情報を前記管理装置に送信し、前記データ受信手段が前記管理装置から受信した設定情報を無線ＬＡＮ伝送路を介して前記機器に送信する情報送信手段を含む監視装置とを備え、
前記管理装置における判断手段は、前記監視装置の情報送信手段が送信した無線ＬＡＮ情報が示す内容と、前記記憶手段に記憶されている設定データとが合致するか否かを判断する
ことを特徴とする無線ＬＡＮ監視システム。
【請求項２】
監視装置におけるデータ受信手段は、無線ＬＡＮ伝送路を介して前記機器が送信したデータを受信し、
前記監視装置における情報送信手段は、前記データ受信手段が管理装置から受信した設定情報を無線ＬＡＮ伝送路を介して前記機器に送信する
請求項１記載の無線ＬＡＮ監視システム。
【請求項３】
所定の領域内に設けられた複数の無線ＬＡＮシステムのそれぞれにおける機器を監視する無線ＬＡＮ監視装置において、
前記機器に割り当てられた設定に応じた設定データを記憶する記憶手段を備えたサーバから送信された前記設定データを含む設定情報、および前記機器が無線ＬＡＮ伝送路に送信したデータを受信するデータ受信手段と、
前記データ受信手段が前記機器から受信したデータにもとづく情報であって、前記機器に設定されている内容を示す無線ＬＡＮ情報を前記サーバに送信し、前記データ受信手段が前記サーバから受信した設定情報を無線ＬＡＮ伝送路を介して前記機器に送信する情報送信手段とを備えた
ことを特徴とする無線ＬＡＮ監視装置。
【請求項４】
データ受信手段は、無線ＬＡＮ伝送路を介して前記機器が送信したデータを受信し、
情報送信手段は、前記データ受信手段がサーバから受信した設定情報を無線ＬＡＮ伝送路を介して前記機器に送信する
請求項３記載の無線ＬＡＮ監視装置。
【請求項５】
所定の領域内に設けられた複数の無線ＬＡＮシステムのそれぞれにおける機器を監視する無線ＬＡＮ監視方法において、
それぞれの無線ＬＡＮシステムにおける機器に接続条件を割り当て、
割り当てた接続条件を設定データとして記憶し、
前記機器が無線ＬＡＮ伝送路に送信したデータを受信し、受信したデータにもとづいて、用いられている接続条件を判定し、
判定した接続条件と記憶されている設定データが示す接続条件とを比較し、
判定した接続条件と記憶されている設定データが示す接続条件とが合致しないと判断した場合に、記憶されている設定データが示す接続条件を示すデータを前記機器に送信する
ことを特徴とする無線ＬＡＮ監視方法。
【請求項６】
所定の領域内に設けられた複数の無線ＬＡＮシステムのそれぞれにおける無線ＬＡＮ監視システム内のコンピュータに搭載される無線ＬＡＮ監視プログラムであって、
コンピュータに、
それぞれの無線ＬＡＮシステムにおける機器に接続条件を割り当てる処理と、
割り当てた接続条件を設定データとして記憶する処理と、
機器が無線ＬＡＮ伝送路に送信したデータにもとづいて判定された接続条件を入力する処理と、
入力した接続条件と記憶されている設定データが示す接続条件とを比較する処理と、
判定した接続条件と記憶されている設定データが示す接続条件とが合致しないと判断した場合に、記憶されている設定データが示す接続条件を示すデータを機器に宛てて送信するための処理とを実行させる
ための無線ＬＡＮ監視プログラム。
【発明の詳細な説明】
【技術分野】
【０００１】
本発明は、所定の領域内に設けられた複数の無線ＬＡＮシステムのそれぞれにおける機器を監視する無線ＬＡＮ監視システム、無線ＬＡＮ監視装置、無線ＬＡＮ監視方法、および無線ＬＡＮ監視プログラムに関する。
【背景技術】
【０００２】
近年、無線ＬＡＮ（Ｌｏｃａｌ  Ａｒｅａ  Ｎｅｔｗｏｒｋ）の利用が増加している。展示会においても、通信機能を有する装置を含むシステムの展示や通信機能を有する装置のデモンストレーションに無線ＬＡＮが利用されたりすると予想される。
【０００３】
なお、特許文献１および特許文献２には、有線ＬＡＮを介して、無線ＬＡＮのアクセスポイントの設定を変更する装置が記載されている。
【０００４】
【特許文献１】特開２００６−１４８５８９号公報（段落００１９〜００４８、図１）
【特許文献２】特開２００５−９４１６４号公報（段落０００６〜０００８、図１）
【発明の開示】
【発明が解決しようとする課題】
【０００５】
展示会においてデモンストレーションに無線ＬＡＮが利用される場合に、無線ＬＡＮシステムにおける通信可能な機器が各出展者によって個別に持ち込まれることがある。例えば、出展者は、アクセスポイントや無線ＬＡＮ通信可能な端末装置を展示会場に持ち込んで設置する。そして、出展者が会場に持ち込んだ各端末装置間で無線ＬＡＮ伝送路を介して通信を行わせることによって、出展者は端末装置等や端末機器等を含むシステムの性能などを見せるためのデモンストレーションを行う。無線ＬＡＮは、規格によって最大周波数チャンネル数が定められているが、従来の展示会場などでは、無線ＬＡＮ接続可能な機器が各出展者によって個別に持ち込まれ、無線ＬＡＮシステムが各出展者によって個別に構築される場合に、無線ＬＡＮの運用制御は行われていない。そのため、同一の展示会場で同時に複数のユーザ（出展者）が勝手に無線ＬＡＮシステムを使用した場合に、電波干渉が発生し、通信スループットが低下したり、通信が切断されたりすることがある。
【０００６】
通信スループットが低下したり、通信が切断されたりすると、デモンストレーション中の装置が誤動作したり停止したりしてデモンストレーションは失敗する。また、装置が誤動作した場合に、事故が発生する恐れがある。
【０００７】
なお、特許文献１に記載されている装置は、アドホック接続されている通信端末、すなわちピアトゥーピア接続可能な端末装置の設定を変更することができない。
【０００８】
また、特許文献２に記載されている装置は、アクセスポイントのＳＳＩＤ（Ｓｅｒｖｉｃｅ  Ｓｅｔ  Ｉｄｅｎｔｉｆｉｅｒ）や、ＷＥＰ（Ｗｉｒｅｄ  Ｅｑｕｉｖａｌｅｎｔ  Ｐｒｉｖａｃｙ）キーの設定を変更するが、アクセスポイントだけがこれらの設定を変更した場合に、アクセスポイントの設定と無線ＬＡＮ端末の設定とが合致しなくなり、通信できなくなってしまう。
【０００９】
また、特許文献１に記載されている装置および特許文献２に記載されている装置は、有線ＬＡＮに接続されていない無線ＬＡＮ端末の設定を変更することができない。
【００１０】
そこで、本発明は、無線伝送路を介して各機器の設定の変更を行うことができ、無線ＬＡＮの通信帯域を有効に利用して、電波干渉による通信スループットの低下や通信切断を回避する無線ＬＡＮ監視システム、無線ＬＡＮ監視装置、無線ＬＡＮ監視方法、および無線ＬＡＮ監視プログラムを提供することを目的とする。
【課題を解決するための手段】
【００１１】
本発明による無線ＬＡＮ監視システムは、所定の領域内に設けられた複数の無線ＬＡＮシステムのそれぞれにおける機器を監視する無線ＬＡＮ監視システムであって、機器に割り当てられた接続条件に応じた設定データを記憶する記憶手段、機器に設定されている内容と記憶手段に記憶されている設定データとが合致するか否かを判断する判断手段、および判断手段が合致しないと判断した場合に、設定データを含む設定情報を送信する設定情報送信手段を含む管理装置と、機器が無線ＬＡＮ伝送路に送信したデータと管理装置が送信した設定情報とを受信するデータ受信手段、およびデータ受信手段が機器から受信したデータにもとづく情報であって機器に設定されている内容を示す無線ＬＡＮ情報を管理装置に送信し、データ受信手段が管理装置から受信した設定情報を無線ＬＡＮ伝送路を介して機器に送信する情報送信手段を含む監視装置とを備え、管理装置における判断手段は、監視装置の情報送信手段が送信した無線ＬＡＮ情報が示す内容と、記憶手段に記憶されている設定データとが合致するか否かを判断することを特徴とする。
【００１２】
監視装置におけるデータ受信手段は、無線ＬＡＮ伝送路を介して機器が送信したデータを受信し、監視装置における情報送信手段は、データ受信手段が管理装置から受信した設定情報を無線ＬＡＮ伝送路を介して機器に送信してもよい。
【００１３】
本発明による無線ＬＡＮ監視装置は、所定の領域内に設けられた複数の無線ＬＡＮシステムのそれぞれにおける機器を監視する無線ＬＡＮ監視装置であって、機器に割り当てられた設定に応じた設定データを記憶する記憶手段を備えたサーバから送信された設定データを含む設定情報、および機器が無線ＬＡＮ伝送路に送信したデータを受信するデータ受信手段と、データ受信手段が機器から受信したデータにもとづく情報であって、機器に設定されている内容を示す無線ＬＡＮ情報をサーバに送信し、データ受信手段がサーバから受信した設定情報を無線ＬＡＮ伝送路を介して機器に送信する情報送信手段とを備えたことを特徴とする。
【００１４】
データ受信手段は、無線ＬＡＮ伝送路を介して機器が送信したデータを受信し、情報送信手段は、データ受信手段がサーバから受信した設定情報を無線ＬＡＮ伝送路を介して機器に送信してもよい。
【００１５】
本発明による無線ＬＡＮ監視方法は、所定の領域内に設けられた複数の無線ＬＡＮシステムのそれぞれにおける機器を監視する無線ＬＡＮ監視方法であって、それぞれの無線ＬＡＮシステムにおける機器に接続条件を割り当て、割り当てた接続条件を設定データとして記憶し、機器が無線ＬＡＮ伝送路に送信したデータを受信し、受信したデータにもとづいて、用いられている接続条件を判定し、判定した接続条件と記憶されている設定データが示す接続条件とを比較し、判定した接続条件と記憶されている設定データが示す接続条件とが合致しないと判断した場合に、記憶されている設定データが示す接続条件を示すデータを機器に送信することを特徴とする。
【００１６】
本発明による無線ＬＡＮ監視プログラムは、所定の領域内に設けられた複数の無線ＬＡＮシステムのそれぞれにおける無線ＬＡＮ監視システム内のコンピュータに搭載される無線ＬＡＮ監視プログラムであって、コンピュータに、それぞれの無線ＬＡＮシステムにおける機器に接続条件を割り当てる処理と、割り当てた接続条件を設定データとして記憶する処理と、機器が無線ＬＡＮ伝送路に送信したデータにもとづいて判定された接続条件を入力する処理と、入力した接続条件と記憶されている設定データが示す接続条件とを比較する処理と、判定した接続条件と記憶されている設定データが示す接続条件とが合致しないと判断した場合に、記憶されている設定データが示す接続条件を示すデータを機器に宛てて送信するための処理とを実行させることを特徴とする。
【発明の効果】
【００１７】
本発明によれば、機器に設定されている内容と記憶手段が記憶している設定データの内容とが合致しない場合に、当該設定データを含む情報を無線伝送路を介して機器に送信するので、機器に、割り当てられた設定に応じた無線ＬＡＮ通信を行わせることができる。そのため、機器間の無線ＬＡＮ通信において、電波干渉による通信スループットの低下や、通信切断を回避することができる。
【発明を実施するための最良の形態】
【００１８】
本発明の実施の形態について、図面を参照して説明する。図１は、本発明による無線ＬＡＮ監視システムの実施の形態の一構成例を示す説明図である。
【００１９】
図１に示すように、本実施の形態の無線ＬＡＮ監視システムは、管理者６によって管理される無線ＬＡＮ監視サーバ（管理装置）１と、ローカルネットワーク３に接続された監視用センサ（監視装置）２１〜２３とを含む。
【００２０】
また、図１に示すように、監視用センサ２１は、利用者５１が利用する無線ＬＡＮシステム４１を監視し、監視用センサ２２は、利用者５２が利用する無線ＬＡＮシステム４２を監視し、監視用センサ２３は、利用者５３が利用する無線ＬＡＮシステム４２を監視する。
【００２１】
各無線ＬＡＮシステムは、例えば、所定の領域の一例である展示会場における各展示ブースに設置され、各監視用センサは、例えば、各展示ブースに設置されている無線ＬＡＮシステムを監視し、無線ＬＡＮ監視サーバ１は、例えば、各無線ＬＡＮシステムにおける無線ＬＡＮ通信の利用を管理する。
【００２２】
図２は、無線ＬＡＮシステム４１の構成例を示すブロック図である。図１および図２に示すように、無線ＬＡＮシステム４１において、無線ＬＡＮ通信を行う機器は、受信端末２１０および無線ＬＡＮアクセスポイント１０１である。そして、図１に示すように、受信端末２１０と無線ＬＡＮアクセスポイント１０１とは無線ＬＡＮ接続されている。受信端末２１０および無線ＬＡＮアクセスポイント１０１は、無線ＬＡＮ接続設定の変更要求および変更後の設定内容を示す信号を受信すると、受信した信号が示す設定内容を変更する機能（例えば、プログラムで実現される。）を有している。
【００２３】
なお、図１に示すように、無線ＬＡＮシステム４２は、受信端末２２０と無線ＬＡＮアクセスポイント１０２とを含み、受信端末２２０と無線ＬＡＮアクセスポイント１０２とは無線ＬＡＮ接続されている。また、無線ＬＡＮシステム４３は、受信端末２３０と無線ＬＡＮアクセスポイント１０３とを含み、受信端末２３０と無線ＬＡＮアクセスポイント１０３とは無線ＬＡＮ接続されている。
【００２４】
また、図１に示す例では、各受信端末は、各無線ＬＡＮアクセスポイントにそれぞれ無線ＬＡＮ接続されているが、すなわち、無線伝送路を介して通信可能になっているが、受信端末は、無線ＬＡＮアクセスポイントを介さずに無線通信を行うようにアドホック接続されていてもよい。
【００２５】
図３は、無線ＬＡＮ監視サーバ１の構成例を示すブロック図である。図３に示すように、無線ＬＡＮ監視サーバ１は、各監視用センサから送信された無線ＬＡＮ情報データを受信する無線ＬＡＮ監視情報受信部３０と、無線ＬＡＮ監視情報受信部３０が受信した無線ＬＡＮ情報データを蓄積する無線ＬＡＮ受信情報データベース４０と、各無線ＬＡＮシステムに割り当てられたリソース（各無線ＬＡＮシステムに割り当てられた動作条件）に応じたデータである無線ＬＡＮリソースデータが登録される無線ＬＡＮリソースデータベース（記憶手段）５０とを含む。
【００２６】
なお、無線ＬＡＮリソースデータベース５０に登録される無線ＬＡＮリソースデータとは、例えば、各無線ＬＡＮシステムに割り当てる周波数チャンネルや、利用時間、ＳＳＩＤ、ＭＡＣアドレス（Ｍｅｄｉａ  Ａｃｃｅｓｓ  Ｃｏｎｔｒｏｌ  Ａｄｄｒｅｓｓ）などの通信帯域リソース等を示すデータ（情報）である。つまり、無線ＬＡＮリソースデータとは、各無線ＬＡＮシステムに割り当てられた動作条件を満たすために各機器に設定される内容に応じたデータである。
【００２７】
図４は、監視用センサ２１の構成例を示すブロック図である。監視用センサ２１は、無線ＬＡＮシステム４１を構成する機器（無線ＬＡＮアクセスポイント１０１および受信端末２１０）が送信したデータを受信し、無線ＬＡＮ監視サーバ１が送信した情報を受信する無線データ受信部（データ受信手段）６０と、無線ＬＡＮシステム４１を構成する機器、および無線ＬＡＮ監視サーバ１に情報を送信する無線データ送信部（情報送信手段）７０とを含む。
【００２８】
なお、無線データ受信部６０は、一般的な無線ＬＡＮアクセスポイントが有するデータ受信機能と同様な機能を有し、無線データ送信部７０は、一般的な無線ＬＡＮアクセスポイントが有するデータ送信機能と同様な機能を有する。
【００２９】
また、無線データ受信部６０は、監視対象の無線ＬＡＮシステムである無線ＬＡＮシステム４１の受信端末２１０および無線ＬＡＮアクセスポイント１０１が送信したデータを受信し、受信したデータにもとづいて無線ＬＡＮシステム４１の通信状況を示す無線ＬＡＮ情報データを生成する。なお、無線ＬＡＮ情報データは、例えば、使用されている周波数チャンネルや、利用時間、ＳＳＩＤ、ＭＡＣアドレスなどの通信状況を示すデータ（情報）である。
【００３０】
無線データ送信部７０は、無線データ受信部６０が生成した無線ＬＡＮ情報データをローカルネットワーク３を介して無線ＬＡＮ監視サーバ１に送信する。
【００３１】
また、無線データ受信部６０は、ローカルネットワーク３を介して無線ＬＡＮ監視サーバ１から無線ＬＡＮシステム４１の受信端末２１０および無線ＬＡＮアクセスポイント１０１への指示を示す通知情報を受信する。無線データ送信部７０は、無線データ受信部６０が受信した通知情報を無線ＬＡＮシステム４１の受信端末２１０および無線ＬＡＮアクセスポイント１０１に送信する。
【００３２】
なお、監視用センサ２１は、受信端末２１０および無線ＬＡＮアクセスポイント１０１と無線ＬＡＮ通信を行ってデータを送受信することができる位置に設置されているとする。また、監視用センサ２２は、受信端末２２０および無線ＬＡＮアクセスポイント１０２と無線ＬＡＮ通信を行ってデータを送受信することができる位置に設置されているとする。監視用センサ２３は、受信端末２３０および無線ＬＡＮアクセスポイント１０３と無線ＬＡＮ通信を行ってデータを送受信することができる位置に設置されているとする。
【００３３】
監視用センサ２２および監視用センサ２３は、監視用センサ２１と同様な構成であるので、説明を省略する。
【００３４】
図５は、無線ＬＡＮアクセスポイント１０１の構成例を示すブロック図である。図５に示すように、無線ＬＡＮアクセスポイント１０１は、監視用センサ２１から通知情報を受信する通知情報受信部８０と、通知情報受信部８０が受信した通知情報にもとづいて、無線ＬＡＮ接続の設定を変更する無線設定自動変更部９０を含む。
【００３５】
なお、無線アクセスポイント１０２、および無線アクセスポイント１０３は、無線ＬＡＮアクセスポイント１０１と同様な構成要素を含む。
【００３６】
また、受信端末２１０は、監視用センサ２１から通知情報を受信する通知情報受信部８１と、通知情報受信部８１が受信した通知情報にもとづいて、無線ＬＡＮ接続の設定を変更する無線設定自動変更部９１とを含む。
【００３７】
なお、受信端末２２０、および受信端末２３０は、受信端末２１０に含まれる構成要素と同様な構成要素を含む。
【００３８】
次に、本発明による無線ＬＡＮ監視システムの実施の形態の動作について、図面を参照して説明する。図６は、無線ＬＡＮ監視システムの実施の形態の動作を説明するフローチャートである。
【００３９】
管理者６によって、各無線ＬＡＮシステム毎に割り当てられた周波数チャンネルや、利用時間、ＳＳＩＤ、ＭＡＣアドレスなどの通信帯域リソース等の接続条件を示す無線ＬＡＮリソースデータが作成され（ステップＳ１）、無線ＬＡＮ監視サーバ１の無線ＬＡＮリソースデータベース５０に登録される（ステップＳ２）。なお、無線ＬＡＮ監視サーバ１は、初期設定処理として、監視用センサに、各無線ＬＡＮシステム毎に割り当てられた接続条件を示すデータを、各無線ＬＡＮシステムにおける機器に送信させるようにしてもよいが、この時点で送信しないようにしてもよい。監視用センサに、各無線ＬＡＮシステム毎に割り当てられた接続条件を示すデータを、各無線ＬＡＮシステムにおける機器に送信させる処理は、それぞれの無線ＬＡＮシステムにおける機器に接続条件を割り当てる処理に相当する。また、この時点で接続条件を示すデータ送信しない場合には、システムが稼働した後の初期の段階でステップＳ３，Ｓ４，Ｓ５の処理が実行されて初期設定処理がなされることになる。
【００４０】
各監視用センサの無線データ受信部は、各無線ＬＡＮシステムの各アクセスポイントおよび各受信端末が送信したデータを受信して無線ＬＡＮ情報データを生成する。各監視用センサの無線データ送信部は、無線データ受信部が生成した無線ＬＡＮ情報データをローカルネットワーク３を介して無線ＬＡＮ監視サーバ１に送信する（ステップＳ３）。無線ＬＡＮ監視サーバ１の無線ＬＡＮ監視情報受信部３０は、各監視用センサから送信された無線ＬＡＮ情報データをローカルネットワーク３を介して常に受信する。無線ＬＡＮ監視サーバ１の無線ＬＡＮ受信情報データベース４０には、無線ＬＡＮ監視情報受信部３０が受信した無線ＬＡＮ情報データが蓄積される。
【００４１】
無線ＬＡＮ監視サーバ１の判断手段である制御部（図示せず）は、無線ＬＡＮ監視情報受信部３０がローカルネットワーク３を介して受信した無線ＬＡＮ情報データと、無線ＬＡＮリソースデータベース５０に登録されている無線ＬＡＮリソースデータとを比較して、一致（合致）しているか否かを判断する（ステップＳ４）。
【００４２】
無線ＬＡＮ監視サーバ１の制御部が、無線ＬＡＮ監視情報受信部３０が受信した無線ＬＡＮ情報データと、無線ＬＡＮリソースデータベース５０に登録されている無線ＬＡＮリソースデータとが合致していないと判断した場合に（ステップＳ４の不一致）、設定情報送信手段（図示せず）が、当該無線ＬＡＮ情報データを送信した監視用センサに、無線ＬＡＮリソースデータベース５０に登録されている無線ＬＡＮリソースデータを含み、無線ＬＡＮの設定の変更を通知する通知情報をローカルネットワーク３を介して送信する（ステップＳ５）。
【００４３】
監視用センサにおいて、無線データ受信部が通知情報を受信した場合に、無線データ送信部は、監視している無線ＬＡＮシステムの無線ＬＡＮアクセスポイントおよび受信端末に、通知情報を送信する（ステップＳ６）。なお、無線ＬＡＮ監視サーバ１の制御部が、監視用センサに通知情報を送信する処理は、記憶されている設定データが示す接続条件を示すデータを機器に宛てて送信するための処理に相当する。
【００４４】
無線ＬＡＮアクセスポイントまたは受信端末において、通知情報受信部が通知情報を受信した場合に、無線設定自動変更部が通知情報にもとづいて無線ＬＡＮ接続の設定を変更する。
【００４５】
図７は、無線ＬＡＮ監視システムの動作を具体的に説明する説明図である。図７に示すように、無線ＬＡＮ監視サーバ１の無線ＬＡＮリソースデータベース５０には、各無線ＬＡＮシステムの運用を監視する管理者６によって、各利用者が利用する無線ＬＡＮシステムに割り当てられた周波数チャンネルや、利用時間、ＳＳＩＤ、ＭＡＣアドレスなどの通信帯域リソース等に応じたデータである無線ＬＡＮリソースデータが登録される。
【００４６】
なお、無線ＬＡＮリソースデータが更新される場合に、無線ＬＡＮ監視サーバ１の無線ＬＡＮリソースデータベース５０には、管理者６によって、更新後の無線ＬＡＮリソースデータが登録される。
【００４７】
また、無線ＬＡＮ監視サーバ１の無線ＬＡＮ受信情報データベース４０には、無線ＬＡＮ監視情報受信部３０が、監視用センサ（図７に示す例では、監視用センサ２１および監視用センサ２２）から受信した無線ＬＡＮ情報データが蓄積される。
【００４８】
無線ＬＡＮ監視サーバ１は、無線ＬＡＮ監視情報受信部３０が受信した無線ＬＡＮ情報データと、無線ＬＡＮリソースデータベース５０に登録されている無線ＬＡＮリソースデータとを比較して、合致しない場合に、その旨を管理者６に通知する。そして、無線ＬＡＮ監視サーバ１は、当該無線ＬＡＮ情報データを送信した監視用センサに、無線ＬＡＮリソースデータベース５０に登録されている無線ＬＡＮリソースデータを含み、無線ＬＡＮの設定の変更を通知する通知情報をローカルネットワーク３を介して送信する。
【００４９】
通知情報を受信した監視用センサ（図７に示す例では監視用センサ２２）は、通知情報を無線ＬＡＮシステム４２に送信して、無線ＬＡＮ接続の設定を変更させる。具体的には、例えば、利用されている周波数チャンネルが異なる場合に、周波数チャンネルを変更させるために、周波数チャンネルの変更要求および変更後の周波数チャンネルを示す信号（通知情報）を無線で送信する。利用許可時間外に利用されている場合には、無線ＬＡＮシステムの各機器の処理を停止させるために、無線ＬＡＮ通信機能の停止を要求することを示す信号を無線で送信する。
【００５０】
図８は、無線ＬＡＮ監視サーバ１が通知情報を無線ＬＡＮアクセスポイントおよび受信端末に送信する動作を説明する説明図である。
【００５１】
無線ＬＡＮ監視サーバ１は、無線ＬＡＮ監視情報受信部３０が監視用センサ２１から受信した無線ＬＡＮ情報データと、無線ＬＡＮリソースデータベース５０に登録されている無線ＬＡＮリソースデータとが合致しない場合に、その旨を管理者６に通知し（図８におけるＡ１）、監視用センサ２１に、ローカルネットワーク３を介して通知情報を送信する（図８におけるＡ２）。
【００５２】
監視用センサ２１の無線データ送信部７０は、通知情報を無線ＬＡＮアクセスポイント１０１および受信端末２１０に送信（配信）する（図８におけるＢ）。
【００５３】
無線ＬＡＮアクセスポイント１０１において、通知情報受信部８０が通知情報を受信した場合に、無線設定自動変更部９０は、通知情報受信部８０が受信した通知情報にもとづいて、無線ＬＡＮ接続の設定を変更する。
【００５４】
受信端末２１０において、通知情報受信部８１が通知情報を受信した場合に、無線設定自動変更部９１は、通知情報受信部８１が受信した通知情報にもとづいて、無線ＬＡＮ接続の設定を変更する。
【００５５】
なお、無線ＬＡＮ監視サーバ１は、無線ＬＡＮ監視情報受信部３０が監視用センサ２１から受信した無線ＬＡＮ情報データと、無線ＬＡＮリソースデータベース５０に登録されている無線ＬＡＮリソースデータとを常に比較し、無線ＬＡＮ情報データと、無線ＬＡＮリソースデータとが合致しないと判断する度に通知情報を監視用センサ２１に送信する。
【００５６】
本実施の形態によれば、無線ＬＡＮの実際の利用状況が、登録された無線ＬＡＮリソースデータと異なっている場合に、無線ＬＡＮ監視サーバ１からの通知により無線ＬＡＮシステムの設定が変更されるので、電波干渉による通信スループットの低下や通信切断を回避することができる。
【００５７】
また、本実施の形態によれば、無線ＬＡＮリソースデータベース５０に登録されている無線ＬＡＮリソースデータにもとづいて無線ＬＡＮが利用されるので、無線ＬＡＮが安定して稼働する環境を提供することができる。
【産業上の利用可能性】
【００５８】
本発明は、複数の無線ＬＡＮシステムを管理するシステムに適用することができる。
【図面の簡単な説明】
【００５９】
【図１】本発明による無線ＬＡＮ監視システムの実施の形態の一構成例を示す説明図である。
【図２】無線ＬＡＮシステムの構成例を示すブロック図である。
【図３】無線ＬＡＮ監視サーバの構成例を示すブロック図である。
【図４】監視用センサの構成例を示すブロック図である。
【図５】無線ＬＡＮアクセスポイントの構成例を示すブロック図である。
【図６】無線ＬＡＮ監視システムの実施の形態の動作を説明するフローチャートである。
【図７】無線ＬＡＮ監視システムの動作を具体的に説明する説明図である。
【図８】無線ＬＡＮ監視サーバが通知情報を無線ＬＡＮアクセスポイントおよび受信端末に送信する動作を説明する説明図である。
【符号の説明】
【００６０】
１  無線ＬＡＮ監視サーバ
３  ローカルネットワーク
６  管理者
２１、２２、２３  監視用センサ
３０  無線ＬＡＮ監視情報受信部
４０  無線ＬＡＮ受信情報データベース
４１、４２、４３  無線ＬＡＮシステム
５０  無線ＬＡＮリソースデータベース
５１、５２、５３  利用者
６０  無線データ受信部
７０  無線データ送信部
８０、８１  通知情報受信部
９０、９１  無線設定自動変更部
１０１、１０２、１０３  無線ＬＡＮアクセスポイント
２１０、２２０、２３０  受信端末
【図１】
2008131286.tif 000003
【図２】
2008131286.tif 000004
【図３】
2008131286.tif 000005
【図４】
2008131286.tif 000006
【図５】
2008131286.tif 000007
【図６】
2008131286.tif 000008
【図７】
2008131286.tif 000009
【図８】
2008131286.tif 000010